(57)【要約】      （修正有）【課題】吸い付くことによって設置用品を固定する設置用品の吸着具を提供する。【解決手段】設置用品の吸着具は、吸着装置１０と敷体２０とを含み、吸着装置の本体１１には操作ハンドル１２に制御される吸盤１３が設けられ、吸盤はレバーにより本体の中央の穴に差し込まれる。本体の上部のスロット１１１の中にレバーと操作ハンドルが互いに枢着され、本体と吸盤の間にはバネが設けられ、本体側面の頸部１１２の内部には下へ貫通する収容槽１１３が形成され、収容槽の内壁両側にはそれぞれ回避溝１１４が設けられる。敷体には上部２１と底部２２があり、敷体の両側にはそれぞれ位置制限体２３が伸ばされ、敷体は上部が収容槽の方向に入れられ、回避溝に位置制限体を収納することで、収容槽の内部に取り付けられ、収容槽を埋め、敷体の底部には二つの位置制限体を貫通する二つの嵌溝２４がある。【選択図】図２
0003198931.tif 000002
【実用新案登録請求の範囲】
【請求項１】
設置用品の吸着具であって、設置用品の吸着具は、吸着装置と敷体とを含み、吸着装置には本体があり、本体には操作ハンドルに制御される吸盤が設けられ、該吸盤はレバーにより本体の中央の穴に差し込まれるため、本体の上部のスロットの中にレバーと操作ハンドルが互いに枢着され、操作ハンドルを引き回して本体に偏心して支えられることによって、吸盤が引き動かされ、その内部には真空の吸引力が生じ、本体と吸盤の間にはバネが設けられ、その特徴は、
本体の側面に頸部が伸ばされて、頸部の内部には下へ貫通する収容槽が形成され、収容槽の内壁の少なくとも両側にはそれぞれ回避溝が設けられ、敷体には上部と底部があり、敷体の両側にはそれぞれ位置制限体が伸ばされて、敷体は上部が収容槽にの方向になるように入れられ、かつ回避溝により位置制限体を収納することで、敷体は容易に収容槽の内部に取り付けられ、敷体の底部には二つの位置制限体を貫通する少なくとも二つの嵌溝があり、嵌溝は設置用品の棒体の嵌め込むことが可能になり、また吸盤が壁やガラスなどの平面に吸い付くことによって、設置用品は吸着装置により破壊のない状態で壁やガラスなどの平面に固定することができる設置用品の吸着具。
【請求項２】
設置用品はフックであることを特徴とする請求項１の設置用品の吸着具。
【請求項３】
設置用品は物置台であることを特徴とする請求項１の設置用品の吸着具
【請求項４】
嵌溝はＴ字形であることを特徴とする請求項１の設置用品の吸着具。
【請求項５】
嵌溝は一字形であることを特徴とする請求項１の設置用品の吸着具。
【請求項６】
位置制限体は回避溝から伸び出すことによって、棒体との接触範囲を拡大することを特徴とする請求項１の設置用品の吸着具。
【請求項７】
敷体の上部は鋸歯状であることを特徴とする請求項１の設置用品の吸着具。
【考案の詳細な説明】
【技術分野】
【０００１】
本考案は、設置用品の吸着具に関し、特に吸い付くことによって設置用品を固定する設置用品の吸着具に関する。
【背景技術】
【０００２】
今まで従来の物置台やフックなどの設置用品の大部分はフレームにネジ孔があり、該ネジ孔がネジに貫通されて壁に固定することによって、物置台やフックなどを壁に固定する。使用する際、物置台やフックなどはいろんな物品をまとめて置くまたは掛けることが可能になるため、壁の空間が適切に利用されることができる。
【０００３】
しかし、上述のような従来の構造は実際に使用する時に以下の欠点が存在する：（一）該物置台やフックなどは壁に掛ける際、壁に孔を空けらなければならず、孔を空けるときに専門家を頼り、ドリルを利用しないとうまく完成できないため、取り付けることがかなり不便である上、時間と労力がともにかかる。（二）該物置台やフックなどは固定された後、もう一度移動するのは難しいし、もしそれを外せば、壁に跡が残ってしまう。
【０００４】
従って、上述のような従来の設置用品の構造に存在する欠点について研究改良することが、実に業界が努力して研究開発する目標である。本考案者はこれらに鑑み、創作の意が芽生え、長年の経験に基づいて設計し、多方面に探究した上で試作品を制作し、修正改良を重ねた上で本考案を生み出した。
【考案の概要】
【考案が解決しようとする課題】
【０００５】
従来の設置用品は壁に掛ける際、壁に損壊を与える孔を空けなければならず、それが解決しようとする課題である。
【課題を解決するための手段】
【０００６】
本考案は設置用品の吸着具を提供する。設置用品の吸着具は、吸着装置と敷体とを含み、吸着装置には本体があり、本体には操作ハンドルに制御される吸盤が設けられ、該吸盤はレバーにより本体の中央の穴に差し込まれるため、本体の上部のスロットの中にレバーと操作ハンドルが互いに枢着され、操作ハンドルを引き回して本体に偏心して支えられることによって、吸盤が引き動かれ、その内部には真空の吸引力が生じ、本体と吸盤の間にはバネが挟んで設けられ、その特徴は、
本体の側に頸部が伸ばされ、頸部の内部には下へ貫通する収容槽が形成され、収容槽の内壁の少なくとも両側にはそれぞれ回避溝が設けられ、敷体には上部と底部があり、敷体の両側にはそれぞれ位置制限体が伸ばされ、敷体は上部が収容槽の方向になるように入れられ、かつ回避溝により位置制限体を収納することで、敷体は容易に収容槽の内部に取り付けられ、敷体の底部には二つの位置制限体を貫通する少なくとも二つの嵌溝があり、嵌溝は設置用品の棒体を嵌め込むことが可能になり、また吸盤が壁やガラスなどの平面に吸い付くことによって、設置用品は吸着装置により破壊のない状態で壁やガラスなどの平面に固定されることができる設置用品の吸着具。
【０００７】
従来の製品と照らし合わせてみると、以下の利点がある。すなわち、（一）本考案は吸盤の吸着力により、壁を破壊しない固定方法を実現し、孔をあけてネジを使う必要がないため、取り付けることが一層簡単であり、便利であり、かつ時間と労力を節約することができる。（二）本考案は吸盤の吸着力の解放により、設置用品の取り付け場所を自由に変えることができ、それにくわえて、外す時に、壁などの滑らかな平面には醜い跡が残らない。（三）本考案は敷体が取り外せることによって、同一の吸着装置で色んな設置用品を取り付けることを実現し、異なる構造も共に使用できる利便性がある。
【図面の簡単な説明】
【０００８】
【図１】図１は、本考案の第一の実施例を示す立体組合図である。
【図２】図２は、本考案の第一の実施例を示す立体分解図である。
【図３】図３は、本考案の第一の実施例において設置用品の取り付けを行った状態を示す立体分解図である。
【図４】図４は、本考案の第一の実施例において設置用品の取り付けを行った状態を示す断面図である。
【図５】図５は、本考案の第一の実施例において設置用品の取り付けを行った状態を示す立体組合図である。
【図６】図６は、本考案の第二の実施例を示す立体分解図である。
【図７】図７は、本考案の第二の実施例において設置用品の取り付けを行ったことを示す使用状態図である。
【図８】図８は、本考案の第三の実施例を示す立体分解図である。
【図９】図９は、本考案の第三の実施例を示す立体組合図である。
【考案を実施するための形態】
【０００９】
まず、図１から図９を参照されたい。設置用品の吸着具は、吸着装置（１０）と敷体（２０）とを含み、その中で、吸着装置（１０）には本体（１１）があり、本体（１１）には操作ハンドル（１２）に制御される吸盤（１３）が設けられ、該吸盤（１３）はレバー（１３１）により本体（１１）の中央の穴に差し込まれるため、本体（１１）の上部のスロット（１１１）の中にレバー（１３１）と操作ハンドル（１２）が互いに枢着され、操作ハンドル（１２）が引き回して本体（１１）に偏心して支えられることによって、吸盤（１３）が引き動かれ、その内部には真空の吸引力が生じ、本体（１１）と吸盤（１３）の間にはバネが挟んで設けられ、また本体（１１）の側面に頸部（１１２）が伸ばされ、頸部（１１２）の内部には下へ貫通する収容槽（１１３）が形成され、収容槽（１１３）の内壁の少なくとも両側側にはそれぞれ回避溝（１１４）が設けられ、敷体（２０）には上部（２１）と底部（２２）があり、敷体（２０）の両側にはそれぞれ位置制限体（２３）が伸ばされ、敷体（２０）は上部（２１）が収容槽（１１３）の方向になるように入れられ、かつ回避溝（１１４）により位置制限体（２３）を収納することで、敷体（２０）は容易に収容槽（１１３）の内部に取り付けられるため、収容槽（１１３）を埋めることができ、それにくわえて、敷体（２０）の底部（２２）には二つの位置制限体（２３）を貫通する少なくとも二つの嵌溝（２４）があり、嵌溝（２４）は設置用品（３０）の棒体（３１）の嵌め込みを実現し、また吸盤（１３）が壁やガラスなどの平面に吸い付くことによって、設置用品（３０）は吸着装置（１０）により破壊のない状態で壁やガラスなどの平面に固定されることができる。
【００１０】
本考案は設置用品の吸着具を提供する。その中で、設置用品（３０）はフックである（同時に図３から図５を参照されたい）。
本考案は設置用品の吸着具を提供する。その中で、設置用品（３０）は物置台である（同時に図７を参照されたい）。
本考案は設置用品の吸着具を提供する。その中で、嵌溝（２４）はＴの形状に作られることによって、フックの形態の設置用品に合わせ（同時に図１から図５を参照されたい）、かつ嵌溝（２４）がＴ字形状の場合に、本体（１１）の頸部（１１２）の前端には同じ形の回避溝（１１４）が予め設けられる。
本考案は設置用品の吸着具を提供する。その中で、嵌溝（２４）は一字形状に作られることによって、物置台の形態の設置用品に合わせられる（同時に図６から図７を参照されたい）。
本考案は設置用品の吸着具を提供する。その中で、位置制限体（２３）は回避溝（１１４）から伸び出すことによって、棒体（３１）との接触範囲を拡大する（同時に図８から図９を参照されたい）。
本考案は設置用品の吸着具を提供する。その中で、敷体（２０）の上部（２１）は鋸歯状である。
【００１１】
上述の具体的な実施例により、以下の利点が得られる。すなわち、（一）本考案は吸盤（１３）の吸着力により、壁を破壊しない固定方法が実現でき、孔を空けてネジを使う必要がないため、取り付けることが一層簡単であり、便利であり、かつ時間と労力を節約することができる。（二）本考案は吸盤（１３）の吸着力の解放により、設置用品（３０）の取り付け場所を自由に変えることができ、それにくわえて、外す時に、壁などの滑らかな平面には醜い跡が残らない。（三）本考案は敷体（２０）が取り外せることによって、同一の吸着装置（１０）で色んな設置用品（３０）を取り付けることを実現し、異なる構造も共に使用できる利便性がある。
【００１２】
以上は、本考案の良い実施例の一部にしか過ぎないため、本考案の実施範囲が制限されるものではない。即ち、本実用新案登録請求の範囲内で行われる変化、修飾なども本考案の範囲内に属すべきである。
【符号の説明】
【００１３】
１０        吸着装置
１１        本体
１１１      スロット
１１２      頸部
１１３      収容槽
１１４      回避溝
１２        操作ハンドル
１３        吸盤
１３１      レバー
２０        敷体
２１        上部
２２        底部
２３        位置制限体
２４        嵌溝
３０        設置用品
３１        棒体
【図１】
0003198931.tif 000003
【図２】
0003198931.tif 000004
【図３】
0003198931.tif 000005
【図４】
0003198931.tif 000006
【図５】
0003198931.tif 000007
【図６】
0003198931.tif 000008
【図７】
0003198931.tif 000009
【図８】
0003198931.tif 000010
【図９】
0003198931.tif 000011